(57)【要約】  移動通信システムにおけるフィードバック信号を送受信する方法及び装置が提供される。ここで、端末（ＵＥ）は、少なくとも１つのチャネル状態情報基準信号（ＣＳＩ−ＲＳ）に関する情報及び少なくとも１つの干渉測定リソース（ＩＭＲ）に関する情報を受信し、上記少なくとも１つのＣＳＩ−ＲＳに関する情報及び上記少なくとも１つのＩＭＲに関する情報に従って使用可能な複数のフィードバック信号の中で送信すべき少なくとも１つのフィードバック信号を決定し、上記決定された少なくとも１つのフィードバック信号を生成し、上記生成された少なくとも１つのフィードバック信号を送信する。上記送信すべき少なくとも１つのフィードバック信号は、中央制御装置から受信されたビットマップ情報に基づいて決定され、上記ビットマップ情報は、上記中央制御装置が受信することを希望する少なくとも１つのフィードバック信号を指示する情報を含む。
2015513286.tif 000002
【特許請求の範囲】
【請求項１】
移動通信システムにおける端末（ＵＥ）がフィードバック信号を送信する方法であって、
少なくとも１つのチャネル状態情報基準信号（ＣＳＩ−ＲＳ）に関する情報及び少なくとも１つの干渉測定リソース（ＩＭＲ）に関する情報を受信するステップと、
前記少なくとも１つのＣＳＩ−ＲＳに関する情報及び前記少なくとも１つのＩＭＲに関する情報に従って使用可能な複数のフィードバック信号の中で送信すべき少なくとも１つのフィードバック信号を指示するビットマップ情報を受信するステップと、
前記ビットマップ情報に従って前記送信すべき少なくとも１つのフィードバック信号を生成し、前記生成された少なくとも１つのフィードバック信号を送信するステップとを有し、
前記ビットマップ情報は、前記複数のフィードバック信号の各々に対応するビットを含み、前記ビットマップ情報のビットの中で予め定められた値を有するビットに対応するフィードバック信号は、前記送信すべきフィードバック信号として決定されることを特徴とするフィードバック信号送信方法。
【請求項２】
前記複数のフィードバック信号の中で常に送信すべきフィードバック信号が存在する場合に、前記予め定められた値を有するビットに対応するフィードバック信号は、送信すべき追加のフィードバック信号として決定されることを特徴とする請求項１に記載のフィードバック信号送信方法。
【請求項３】
移動通信システムにおける中央制御装置がフィードバック信号を受信する方法であって、
少なくとも１つのチャネル状態情報基準信号（ＣＳＩ−ＲＳ）に関する情報及び少なくとも１つの干渉測定リソース（ＩＭＲ）に関する情報を端末（ＵＥ）に送信するステップと、
前記少なくとも１つのＣＳＩ−ＲＳに関する情報及び前記少なくとも１つのＩＭＲに関する情報に従って生成可能な複数のフィードバック信号の中で受信すべき少なくとも１つのフィードバック信号を指示するビットマップ情報を前記端末に送信するステップと、
前記ビットマップ情報に従う少なくとも１つのフィードバック信号を前記端末から受信するステップとを有し、
前記ビットマップ情報は、前記複数のフィードバック信号の各々に対応するビットを含み、前記ビットマップ情報のビットの中で予め定められた値を有するビットに対応するフィードバック信号は、前記端末が送信すべきフィードバック信号として決定されることを特徴とするフィードバック信号受信方法。
【請求項４】
前記複数のフィードバック信号の中で常に受信すべきフィードバック信号が存在する場合に、前記予め定められた値を有するビットに対応するフィードバック信号は、前記端末が送信すべき追加のフィードバック信号として決定されることを特徴とする請求項３に記載のフィードバック信号受信方法。
【請求項５】
移動通信システムにおける端末（ＵＥ）であって、
少なくとも１つのチャネル状態情報基準信号（ＣＳＩ−ＲＳ）に関する情報及び少なくとも１つの干渉測定リソース（ＩＭＲ）に関する情報を受信し、前記少なくとも１つのＣＳＩ−ＲＳに関する情報及び前記少なくとも１つのＩＭＲに関する情報に従って使用可能な複数のフィードバック信号の中で送信すべき少なくとも１つのフィードバック信号を指示するビットマップ情報を受信する通信モジュールと、
前記ビットマップ情報に従って前記送信すべき少なくとも１つのフィードバック信号を生成し、前記生成された少なくとも１つのフィードバック信号を送信するように前記通信モジュールを制御する制御部とを有し、
前記ビットマップ情報は、前記複数のフィードバック信号の各々に対応するビットを含み、前記ビットマップ情報のビットの中で予め定められた値を有するビットに対応するフィードバック信号は、前記送信すべきフィードバック信号として決定されることを特徴とする端末。
【請求項６】
前記複数のフィードバック信号の中で常に送信すべきフィードバック信号が存在する場合に、前記予め定められた値を有するビットに対応するフィードバック信号は、送信すべき追加のフィードバック信号として決定されることを特徴とする請求項５に記載の端末。
【請求項７】
移動通信システムにおける中央制御装置であって、
少なくとも１つのチャネル状態情報基準信号（ＣＳＩ−ＲＳ）に関する情報及び少なくとも１つの干渉測定リソース（ＩＭＲ）に関する情報を端末（ＵＥ）に送信する通信モジュールと、
前記少なくとも１つのＣＳＩ−ＲＳに関する情報及び前記少なくとも１つのＩＭＲに関する情報に従って使用可能な複数のフィードバック信号の中で受信すべき少なくとも１つのフィードバック信号を決定し、前記決定された少なくとも１つのフィードバック信号を指示するビットマップ情報を前記端末に送信し、前記ビットマップ情報に従う少なくとも１つのフィードバック信号を前記端末から受信するように前記通信モジュールを制御する制御部とを含み、
前記ビットマップ情報は、前記複数のフィードバック信号の各々に対応するビットを含み、前記ビットマップ情報のビットの中で予め定められた値を有するビットに対応するフィードバック信号は、前記送信すべきフィードバック信号として決定されることを特徴とする中央制御装置。
【請求項８】
前記複数のフィードバック信号の中で常に受信すべきフィードバック信号が存在する場合に、前記予め定められた値を有するビット値に対応するフィードバック信号は、前記端末が追加で送信すべき追加のフィードバック信号として決定されることを特徴とする請求項７に記載の中央制御装置。
【発明の詳細な説明】
【技術分野】
【０００１】
本発明は、一般的に、複数の基地局（Base Station：ＢＳ）を含むセルラー移動通信システムにおけるフィードバック情報を生成するための方法及び装置に係り、より詳しくは、複数の基地局が協調して端末（User Equipment：ＵＥ）へのダウンリンク送信をサポートする協調マルチポイント（Coordinated multi-point：ＣｏＭＰ）システムにおけるフィードバック信号を効率的に送受信する方法及び装置に関する。
【背景技術】
【０００２】
移動通信システムは、一般的な音声中心のサービスを越えて、データサービス及びマルチメディアサービスを追加で提供するために高速及び高品質の無線パケットデータ通信システムに発展している。
【０００３】
最近では、第３世代パートーナーシッププロジェクト（3rd Generation Partnership Project：３ＧＰＰ）により提案された高速ダウンリンクパケットアクセス（High Speed Downlink Packet Access：ＨＳＤＰＡ）、高速アップリンクパケットアクセス（High Speed Uplink Packet Access：ＨＳＵＰＡ）、ロングタームエボリューション（Long Term Evolution：ＬＴＥ）、ロングタームエボリューションアドバンスド（Long Term Evolution Advanced：ＬＴＥ−Ａ）、３ＧＰＰ２により提案された高速パケットデータ（High Rate Packet Data：ＨＲＰＤ）、及びＩＥＥＥ（Institute of Electrical and Electronics Engineers）により提案された８０２．１６のような様々な移動通信標準が高速及び高品質の無線パケットデータ送信サービスをサポートするために開発された。
【０００４】
ＬＴＥは、高速無線パケットデータ送信を効率的にサポートするために開発された。ＬＴＥは、様々な無線接続方式を使用して無線システムのキャパシティを最大にできる。ＬＴＥシステムから進歩したＬＴＥ−Ａシステムは、ＬＴＥシステムと比較する時に向上したデータ送信能力を有する。
【０００５】
ＨＳＤＰＡ、ＨＳＵＰＡ、及びＨＲＰＤのような第３世代（３Ｇ）無線パケットデータ通信システムは、送信効率を向上させるために適応変調及び符号化（Adaptive Modulation and Coding：ＡＭＣ）方式及びチャネルセンシティブスケジューリング（channel-sensitive scheduling）方式のような技術を使用する。ＡＣＭ方式及びチャネルセンシティブスケジューリング方式において、送信器は、受信器から受信した部分的なチャネル状態情報に基づいて決定された最も効率的な時点で適切な変調及び符号化方式（Modulation and Coding Scheme：ＭＣＳ）を適用する。
【０００６】
ＡＭＣの使用とともに、送信器は、チャネル状態に従って送信データの量を調整する。すなわち、チャネル状態が悪い場合に、送信器は、受信誤り確率を所望のレベルに調整するために送信データの量を減少させることができる。他方、チャネル状態が良好な場合に、送信器は、受信誤り確率を所望のレベルに調整するために送信データの量を増加させることにより、多くの情報の効率的な送信を保証する。
【０００７】
さらに、チャネルセンシティブスケジューリングリソースの使用とともに、送信器は、複数のユーザの中で優秀なチャネル状態を有するユーザに選択的にサービスを提供することにより、チャネルをユーザに割り当てた後にサービスをユーザに提供する場合に比べてシステムキャパシティの増加に寄与することができる。このようなシステムキャパシティの増加は、通常、‘マルチユーザダイバーシティ（Multi-user Diversity）利得’と称される。ＡＭＣ方式が多入力多出力（Multiple Input Multiple Output：ＭＩＭＯ）方式とともに使用される場合に、送信信号の空間層（spatial layer）の個数又はランク（rank）を決定する機能が採用されることができる。この場合に、ＡＭＣ方式を採用する無線パケットデータ通信システムは、最適のデータ送信率（data rate）を決定するにあたり、符号化率及び変調方式だけではなくＭＩＭＯ送信のためのレイヤーの個数も考慮する。
【０００８】
一般的に、直交周波数分割多重接続（ＯＦＤＭＡ）は、符号分割多重接続（ＣＤＭＡ）に比べて、キャパシティを増加させることができる技術である。ＯＦＤＭＡ方式においてキャパシティを増加させる幾つかの理由の内の１つは、周波数領域スケジューリング（Frequency Domain Scheduling）を実行することができるというものである。
【０００９】
チャネルセンシティブスケジューリングを使用する場合に、チャネルが時間により変わる特性に基づいてキャパシティ利得を得ることができる。同様に、チャネルが周波数により変わる特性を用いてさらに多くのキャパシティ利得を得ることができる。したがって、第２世代（２Ｇ）及び３Ｇ移動通信システムで使用されたＣＤＭＡを次世代通信システムにおけるＯＦＤＭＡ（Orthogonal Frequency Division Multiple Access）に置き換えようとする研究が活発に進んでいる。３ＧＰＰ及び３ＧＰＰ２は、ＯＦＤＭＡに基づく進化したシステムに関する標準化研究を始めた。
【００１０】
図１は、送信（Ｔｘ）／受信（Ｒｘ）アンテナが各セルの中央に配置された通常のセルラー移動通信システムを示す図である。
図１を参照すると、複数のセルを含むセルラー移動通信システムにおいて、特定のＵＥは、上述した幾つかの技術を用いて移動通信サービスを半静的（semi-static）期間の間に選択された１つのセルから受信する。図１において、セルラー移動通信システムが３個のセル１００、１１０、及び１２０（セル１、セル２、及びセル３）を含むと仮定する。セル１は、移動通信サービスをＵＥ１０１及びＵＥ１０２（ＵＥ１及びＵＥ２）に提供し、セル２は、移動通信サービスをＵＥ１１１（ＵＥ３）に提供し、セル３は、移動通信サービスをＵＥ１２１（ＵＥ４）に提供する。アンテナ１３０、１３１、及び１３２は、セル１００、１１０、及び１２０の中央に配置される。アンテナ１３０、１３１、及び１３２は、ＢＳ又は中継器に対応する。
【００１１】
セル１から移動通信サービスを受信するＵＥ２は、ＵＥ１に比べてアンテナ１３０からの距離が相対的に遠い。また、ＵＥ２がセル３の中央に配置されたアンテナ１３２から大きい干渉を経験するために、セル１は、ＵＥ２に対して相対的に低いデータ送信速度をサポートする。
【００１２】
セル１、セル２、及びセル３が移動通信サービスを独立して提供する場合に、これらは、セル別にダウンリンクチャネル状態を測定するように基準信号（Reference Signal：ＲＳ）を送信する。３ＧＰＰ  ＬＴＥ−Ａシステムにおいて、ＵＥは、チャネル状態情報基準信号（channel status information reference signal：ＣＳＩ−ＲＳ）を用いてＵＥとＢＳとの間のチャネル状態を測定し、チャネル状態情報をＢＳにフィードバックする。
【００１３】
図２は、通常のＬＴＥ−ＡシステムにおけるＢＳからＵＥに送信されるＣＳＩ−ＲＳの位置を示す図である。
図２を参照すると、ＬＴＥ−Ａシステムで使用可能なリソースは、同一のサイズのリソースブロック（ＲＢ）に分割される。リソースの横軸及び縦軸は、それぞれ時間及び周波数を示す。２本のＣＳＩ−ＲＳアンテナポートに対する信号は、ＲＢ２００乃至２１９のそれぞれのリソースを通して送信される。すなわち、ＢＳは、ＲＢ２００のリソースを通してダウンリンク測定のための２本のＣＳＩ−ＲＳをＵＥに送信する。
【００１４】
図１に示すように、複数のセルを含むセルラー移動通信システムにおいて、自身の固有の位置を有するＲＢが各セルに割り当てられ、割り当てられたＲＢのリソースを通してＣＳＩ−ＲＳが送信される。例えば、図１において、セル１は、ＲＢ２００のリソースを通してＣＳＩ−ＲＳを送信し、セル２は、ＲＢ２０５のリソースを通してＣＳＩ−ＲＳを送信し、セル３は、ＲＢ２１０のリソースを通してＣＳＩ−ＲＳを送信する。このように、ＣＳＩ−ＲＳ送信のための異なるＲＢ（例えば、異なる時間及び周波数リソース）を異なるセルに割り当てる理由は、異なるセルからのＣＳＩ−ＲＳ間の相互干渉を防止するためである。
【００１５】
ＵＥは、ＣＳＩ−ＲＳを用いてダウンリンクチャネルを推定し、ランキング指示子（Ranking Indication：ＲＩ）、チャネル品質指示子（ＣＱＩ）、及びプリコーディングマトリックスインデックス（Precoding Matrix Index：ＰＭＩ）を推定されたダウンリンクチャネルのＣＳＩとして生成し、ＣＳＩをＢＳにフィードバックする。ＵＥからのＰＵＣＣＨ（Physical Uplink Control Channel）を通した周期的なＣＳＩフィードバックは、４つのモードでなされる。
１．モード１−０：ＲＩ、広帯域ＣＱＩ（ｗＣＱＩ）
２．モード１−１：ＲＩ、ｗＣＱＩ、広帯域ＰＭＩ（ｗＰＭＩ）
３．モード２−０：ＲＩ、ｗＣＱＩ、サブ帯域ＣＱＩ（ｓＣＱＩ）
４．モード２−１：ＲＩ、ｗＣＱＩ、ｗＰＭＩ、ｓＣＱＩ、ｓＰＭＩ
【００１６】
４つのフィードバックモードでの各情報のフィードバックタイミングは、上位レイヤーシグナリング（higher-layer signaling）により示されるＮｐｄ、ＮＯＦＦＳＥＴ，ＣＱＩ、ＭＲＩ、及びＮＯＦＦＳＥＴ，ＲＩに従って決定される。モード１−０において、ｗＣＱＩの送信期間は、Ｎｐｄであり、ｗＣＱＩのフィードバックタイミングは、ＮＯＦＦＳＥＴ，ＣＱＩのサブフレームオフセットを用いて決定される。追加で、ＲＩの送信期間及びオフセットは、それぞれＮｐｄ・ＭＲＩ及びＮＯＦＦＳＥＴ，ＣＱＩ＋ＮＯＦＦＳＥＴ，ＲＩである。
【００１７】
図３は、Ｎｐｄ＝２、ＭＲＩ＝２、ＮＯＦＦＳＥＴ，ＣＱＩ＝１、及びＮＯＦＦＳＥＴ，ＲＩ＝−１の場合に、ＲＩ、ｗＣＱＩ、及びＰＭＩのフィードバックタイミングを示す図である。ここで、各送信タイミングは、サブフレームインデックスとして示される。モード１−１は、モード１−０と同一のフィードバックタイミングを有するが、ＰＭＩがｗＣＱＩの送信タイミングでｗＣＱＩとともに送信されるという点では、モード１−０とは異なる。
【００１８】
モード２−０において、ｓＣＱＩのフィードバック期間及びオフセットは、それぞれＮｐｄ及びＮＯＦＦＳＥＴ，ＣＱＩである。ｗＣＱＩのフィードバック期間及びオフセットは、それぞれＨ・Ｎｐｄ及びＮＯＦＦＳＥＴ，ＣＱＩである。ここで、Ｈ＝Ｊ・Ｋ＋１であり、Ｋは、上位レイヤーシグナリングで示される値であり、Ｊは、システム帯域幅により決定される値である。例えば、Ｊは、１０ＭＨｚシステムの場合に３である。したがって、ｗＣＱＩは、Ｈ回のｓＣＱＩ送信ごとに１回ずつｓＣＱＩに置き換えられて送信される。ＲＩのフィードバック期間及びオフセットは、それぞれＭＲＩ・Ｈ・Ｎｐｄ及びＮＯＦＦＳＥＴ，ＣＱＩ＋ＮＯＦＦＳＥＴ，ＲＩである。
【００１９】
図４は、Ｎｐｄ＝２、ＭＲＩ＝２、Ｊ＝３（１０ＭＨｚ）、Ｋ＝１、ＮＯＦＦＳＥＴ，ＣＱＩ＝１、ＮＯＦＦＳＥＴ，ＲＩ＝−１という条件の下に、ＲＩ、ｓＣＱＩ、及びｗＣＱＩのフィードバックタイミングを示す図である。モード２−１は、モード２−０と同一のフィードバックタイミングを有するが、ＰＭＩがｗＣＱＩの送信タイミングでｗＣＱＩとともに送信されるという点では、モード２−０とは異なる。
【００２０】
上述したフィードバックタイミングは、ＣＳＩ−ＲＳアンテナポートの本数が４本又はそれ以下の場合に設定される。８本のＣＳＩ−ＲＳアンテナポートの場合には、上記の場合とは異なり、２種類のＰＭＩ情報がフィードバックされなければならない。８本のＣＳＩ−ＲＳアンテナポートの場合には、モード１−１は、２つのサブモードにさらに分割される。第１のサブモードにおいて、第１のＰＭＩは、ＲＩとともに送信され、第２のＰＭＩは、ｗＣＱＩとともに送信される。ここで、ＲＩ及び第１のＰＭＩのフィードバック期間及びオフセットは、それぞれＭＲＩ・Ｎｐｄ及びＮＯＦＦＳＥＴ，ＣＱＩ＋ＮＯＦＦＳＥＴ，ＲＩとして定義され、ｗＣＱＩ及び第２のＰＭＩのフィードバック期間及びオフセットは、それぞれＮｐｄ及びＮＯＦＦＳＥＴ，ＣＱＩとして定義される。
【００２１】
８本のＣＳＩ−ＲＳアンテナポートの場合に、プリコーディングタイプ指示子（Precoding Type Indicator：ＰＴＩ）が、モード２−１に付加される。ＰＴＩは、ＲＩとともにフィードバックされ、その期間は、ＭＲＩ・Ｈ・Ｎｐｄであり、オフセットは、ＮＯＦＦＳＥＴ，ＣＱＩ＋ＮＯＦＦＳＥＴ，ＲＩとして定義される。ＰＴＩが０である場合には、第１のＰＭＩ、第２のＰＭＩ、及びｗＣＱＩがフィードバックされる。ｗＣＱＩ及び第２のＰＭＩは、同一のタイミングで送信され、その期間は、Ｎｐｄであり、オフセットは、ＮＯＦＦＳＥＴ，ＣＱＩで与えられる。また、第１のＰＭＩのフィードバック期間及びオフセットは、それぞれＨ・Ｎｐｄ及びＮＯＦＦＳＥＴ，ＣＱＩである。ここで、Ｈ’は、上位レイヤーシグナリングで示される。他方、ＰＴＩが１である場合には、ＰＴＩ及びＲＩがともに送信され、ｗＣＱＩ及び第２のＰＭＩがともに送信される。ｓＣＱＩが追加でフィードバックされる。この場合には、第１のＰＭＩは送信されない。ＰＴＩ及びＲＩのフィードバック期間及びオフセットは、ＰＴＩが０である場合におけるＰＴＩ及びＲＩのそれと同一である。ｓＣＱＩのフィードバック期間及びオフセットは、それぞれＮｐｄ及びＮＯＦＦＳＥＴ，ＣＱＩとして定義される。また、ｗＣＱＩ及び第２のＰＭＩは、Ｈ・Ｎｐｄの期間及びＮＯＦＦＳＥＴ，ＣＱＩのオフセットでフィードバックされ、Ｈは、ＣＳＩ−ＲＳアンテナポートの本数が４本である場合と同一である。図５及び図６は、Ｎｐｄ＝２、ＭＲＩ＝２、Ｊ＝３（１０ＭＨｚ）、Ｋ＝１、Ｈ’＝３、ＮＯＦＦＳＥＴ，ＣＱＩ＝１、及びＮＯＦＦＳＥＴ，ＲＩ＝−１という条件の下に、ＰＴＩ＝０及びＰＴＩ＝１である場合の送信タイミングを示す。
【００２２】
従来のＣＳＩフィードバック技術は、ＵＥがＣｏＭＰ送信、すなわち、複数の送信地点からの同時送信のためのマルチＣＳＩフィードバック状況を考慮せず、１個のＣＳＩフィードバックを送信するという前提に基づいている。
【００２３】
図１で示すセルラー移動通信システムにおいて、セルのエッジに存在するＵＥは、他のセルからの干渉がひどく作用するので、高いデータ送信率をサポートするのに限界がある。すなわち、図１に示すセルラー移動通信システムにおいて、セル内に存在するＵＥに提供される高速のデータ送信率は、端末がセル内でどこに位置するかに従って大きく影響を受ける。したがって、従来のセルラー移動通信システムにおいて、セルの中央に相対的に近くに位置したＵＥ（ＵＥ１）は、高いデータ送信率で信号を送受信できるが、セルの中央から相対的に遠くに位置したＵＥ（ＵＥ２）は、高いデータ送信率で信号を送受信できないという問題点があった。
【発明の概要】
【発明が解決しようとする課題】
【００２４】
本発明の目的は、少なくとも上述した問題点及び／又は不都合に取り組み、少なくとも以下の利便性を提供することにある。すなわち、本発明の目的は、ロングタームエボリューションアドバンスド（Long Term Evolution Advanced：ＬＴＥ−Ａ）移動通信システムにおいて、簡素なＣｏＭＰ送信方式を構築し、構築されたＣｏＭＰ送信方式を効果的に運用するためのフィードバック信号を生成し、フィードバック信号を送受信する方法及び装置を提供することにある。
【課題を解決するための手段】
【００２５】
上記のような目的を達成するために、本発明の一態様によれば、移動通信システムにおける端末（ＵＥ）がフィードバック信号を送信する方法が提供され、上記方法では、少なくとも１つのチャネル状態情報基準信号（ＣＳＩ−ＲＳ）に関する情報及び少なくとも１つの干渉測定リソース（ＩＭＲ）に関する情報が受信され、上記少なくとも１つのＣＳＩ−ＲＳに関する情報及び上記少なくとも１つのＩＭＲに関する情報に従って使用可能な複数のフィードバック信号の中で送信すべき少なくとも１つのフィードバック信号を指示するビットマップ情報が受信され、上記ビットマップ情報に従って上記送信すべき少なくとも１つのフィードバック信号が生成され、上記生成された少なくとも１つのフィードバック信号が送信される。上記ビットマップ情報は、上記複数のフィードバック信号の各々に対応するビットを含み、上記ビットマップ情報のビットの中で予め定められた値を有するビットに対応するフィードバック信号は、上記送信すべきフィードバック信号として決定される。
【００２６】
本発明の別の態様によれば、移動通信システムにおける中央制御装置がフィードバック信号を受信する方法が提供される。上記方法では、少なくとも１つのチャネル状態情報基準信号（ＣＳＩ−ＲＳ）に関する情報及び少なくとも１つの干渉測定リソース（ＩＭＲ）に関する情報が端末（ＵＥ）に送信され、上記少なくとも１つのＣＳＩ−ＲＳに関する情報及び上記少なくとも１つのＩＭＲに関する情報に従って生成可能な複数のフィードバック信号の中で受信すべき少なくとも１つのフィードバック信号を指示するビットマップ情報が上記端末に送信され、上記ビットマップ情報に従う少なくとも１つのフィードバック信号が上記端末から受信される。上記ビットマップ情報は、上記複数のフィードバック信号の各々に対応するビットを含み、上記ビットマップ情報のビットの中で予め定められた値を有するビットに対応するフィードバック信号は、上記端末が送信すべきフィードバック信号として決定される。
【００２７】
本発明のさらに別の態様によれば、移動通信システムにおける端末（ＵＥ）が提供される。上記端末の通信モジュールは、少なくとも１つのチャネル状態情報基準信号（ＣＳＩ−ＲＳ）に関する情報及び少なくとも１つの干渉測定リソース（ＩＭＲ）に関する情報を受信し、上記少なくとも１つのＣＳＩ−ＲＳに関する情報及び上記少なくとも１つのＩＭＲに関する情報に従って使用可能な複数のフィードバック信号の中で送信すべき少なくとも１つのフィードバック信号を指示するビットマップ情報を受信し、上記端末の制御部は、上記ビットマップ情報に従って上記送信すべき少なくとも１つのフィードバック信号を生成し、上記生成された少なくとも１つのフィードバック信号を送信するように上記通信モジュールを制御する。上記ビットマップ情報は、上記複数のフィードバック信号の各々に対応するビットを含み、上記ビットマップ情報のビットの中で予め定められた値を有するビットに対応するフィードバック信号は、上記送信すべきフィードバック信号として決定される。
【００２８】
本発明のさらなる別の態様によれば、移動通信システムにおける中央制御装置が提供される。上記中央制御装置の通信モジュールは、少なくとも１つのチャネル状態情報基準信号（ＣＳＩ−ＲＳ）に関する情報及び少なくとも１つの干渉測定リソース（ＩＭＲ）に関する情報を端末（ＵＥ）に送信し、上記中央制御装置の制御部は、上記少なくとも１つのＣＳＩ−ＲＳに関する情報及び上記少なくとも１つのＩＭＲに関する情報に従って使用可能な複数のフィードバック信号の中で受信すべき少なくとも１つのフィードバック信号を決定し、上記決定された少なくとも１つのフィードバック信号を指示するビットマップ情報を上記端末に送信し、上記ビットマップ情報に従う少なくとも１つのフィードバック信号を上記端末から受信するように上記通信モジュールを制御する。上記ビットマップ情報は、上記複数のフィードバック信号の各々に対応するビットを含み、上記ビットマップ情報のビットの中で予め定められた値を有するビットに対応するフィードバック信号は、上記端末が送信すべきフィードバック信号として決定される。
【発明の効果】
【００２９】
本発明によると、セルラー移動通信システムにおいて、隣接したセルは、ＣｏＭＰ送信方式により相互に協調してセルエッジに位置したＵＥのためにデータを送信できる。また、セルは、セルラー移動通信システムにおいて、非協調送信に比べて向上した移動通信サービスを提供できる。
【００３０】
ＵＥがセルエッジに位置する場合に、ＵＥは、自身がデータを受信しようとするセルを動的に決定できる。また、大きな干渉で判定される幾つかのセルは、隣接セルがセルエッジに位置したＵＥを助けるために自身の電力をターンオフできる。また、複数のセルは、セルエッジに存在するＵＥに同時に情報を送信することにより、ＵＥの情報受信率を増加させることができる。したがって、すべてのＵＥは、セルラー移動通信システムにおいて、セル内の自身の位置に関係なく高いデータ送信率を取得できる。
【００３１】
本発明の実施形態の上述した及び他の様相、特徴、及び利点は、添付の図面が併用された後述の詳細な説明から、より一層明らかになるだろう。
【図面の簡単な説明】
【００３２】
【図１】送信（Ｔｘ）／受信（Ｒｘ）アンテナが各セルの中央に配置された通常のセルラー移動通信システムを示す図である。
【図２】通常のロングタームエボリューション−アドバンスド（ＬＴＥ−Ａ）システムにおける基地局（ＢＳ）から端末（ＵＥ）に送信されるチャネル状態情報−基準信号（ＣＳＩ−ＲＳ）の位置を示す図である。
【図３】通常のＬＴＥ−Ａシステムにおけるモード１−０又はモード１−１でのＵＥのフィードバックタイミングを示す図である。
【図４】通常のＬＴＥ−Ａシステムにおけるモード２−０又はモード２−１でのＵＥのフィードバックタイミングを示す図である。
【図５】通常のＬＴＥ−Ａシステムにおけるプリコーディングタイプ指示子（ＰＴＩ）が０である場合に８本のＣＳＩ−ＲＳアンテナポートに対するモード２−１でのＵＥのフィードバックタイミングを示す図である。
【図６】通常のＬＴＥ−ＡシステムにおけるＰＴＩが１である場合に８本のＣＳＩ−ＲＳアンテナポートに対するモード２−１でのＵＥのフィードバックタイミングを示す図である。
【図７】本発明の実施形態によるセルラー移動通信システムの構造を示す図である。
【図８】本発明の実施形態によるＢＳがＵＥに送信するＣＳＩ−ＲＳの位置を示す図である。
【図９】本発明の実施形態によるＵＥの動作を示すフローチャートである。
【図１０】本発明の実施形態による中央制御装置の動作を示すフローチャートである。
【図１１】本発明の実施形態によるＵＥの構成を示すブロック図である。
【図１２】本発明の実施形態による中央制御装置の構成を示すブロック図である。
【発明を実施するための形態】
【００３３】
図面中、同一の図面参照符号が同一の構成要素、特性、又は構造を意味することは、容易に理解できるであろう。
【００３４】
以下、本発明の望ましい実施形態を添付の図面を参照して詳細に説明する。本発明を説明するにあたって、関連した公知機能或いは構成に対する具体的な説明が本発明の要旨を不必要に不明瞭にすると判断された場合、その詳細な説明は省略する。また、後述する用語は、本発明の機能を考慮して定義されたものであって、ユーザ、運用者の意図、又は慣例によって変わり得る。したがって、上記用語は、本明細書の全体内容に基づいて定義されなければならない。
【００３５】
以下、本発明の実施形態が直交周波数分割多重化（Orthogonal Frequency Division Multiplexing：ＯＦＤＭ）無線通信システム、特に、第３世代パートーナーシッププロジェクト（３ＧＰＰ）次世代ユニバーサル地上波無線アクセス（Evolved Universal Terrestrial Radio Access：ＥＵＴＲＡ）標準を参照して詳細に説明されるが、本発明の主題が、本発明の範囲及び趣旨を逸脱することなく、わずかな変形で類似した技術的な背景及びチャネル構成を有する他の通信システムにも適用可能であるということは、当該技術分野における通常の知識を有する者には明らかである。
【００３６】
セルラー移動通信システムは、限定された領域内の複数のセルを含む。各セルは、対応するセル内の移動通信を制御する基地局（ＢＳ）装備を備える。ＢＳ装備は、移動通信サービスをセル内の端末（ＵＥ）に提供する。この時に、特定のＵＥは、半静的（semi-static）に決定された１つのセルのみから移動通信サービスを受信する。このようなシステムは、非協調マルチポイント（non-Coordinated Multi-Point：以下、“ｎｏｎ−ＣｏＭＰ”と称する）システムと称される。
【００３７】
ｎｏｎ−ＣｏＭＰシステムにおいて、セル内のＵＥのデータ送信率は、セル内のＵＥの位置に基づいて変わる。すなわち、セルの中央に位置したＵＥは、高いデータ送信率を有するが、セルのエッジに位置したＵＥは、低いデータ送信率を有する。
【００３８】
ｎｏｎ−ＣｏＭＰシステムの反対の概念は、ＣｏＭＰシステムである。ＣｏＭＰシステムにおいて、複数のセルは、ＵＥをサポートするために相互に協調してセルのエッジに位置したＵＥにデータを送信（以下、“ＣｏＭＰ送信”と称する）する。したがって、ＣｏＭＰシステムは、ｎｏｎ−ＣｏＭＰシステムに比べて、向上した移動通信サービスをＵＥに提供する。本発明は、ＣｏＭＰシステムの中でもダイナミックセル選択（dynamic cell selection：ＤＳ）方式、ダイナミックセル選択及びブランキング（dynamic cell selection with dynamic blanking：ＤＳ／ＤＢ）方式、及びジョイント送信（Joint Transmission：ＪＴ）方式を考慮してフィードバック信号を送信する方法及び装置を提供する。この時に、ＤＳ方式において、ＵＥは、セル別チャネル状態を測定し、この測定されたチャネル状態に関連したフィードバック信号をＢＳに送信する。その後に、ＢＳは、ダウンリンクデータをＵＥに送信するセルをダイナミックに選択する。ＤＳ／ＤＢ方式において、特定のセルは、他のセルとの干渉を減少させるためにデータ送信を中断する。ＪＴ方式は、複数のセルから特定のＵＥに同時にデータを送信する技術である。すなわち、従来技術と関連した問題点を解決するために、本発明の実施形態は、ＤＳ、ＤＳ／ＤＢ、又はＪＴ方式をＬＴＥ−Ａシステムに効率的に適用できるようにフィードバック構造を設計する。
【００３９】
図７は、本発明の実施形態によるセルラー移動通信システムの構造を示す図である。図７において、セルラー移動通信システムが３個のセル３００、３１０、及び３２０（セル１、セル２、及びセル３）を含むと仮定する。本発明の実施形態において、セルは、特定の送信地点がサービスできるデータ送信領域を意味する。各送信地点は、マクロ領域内のマクロＢＳとセル識別子（ＩＤ）を共有するリモートラジオヘッド（Remote Radio Head：ＲＲＨ）又は異なるセルＩＤを有するマクロセル又はピコセルである。
【００４０】
中央制御装置は、ＵＥとデータを送受信し、送受信されたデータを処理する。ここで、各送信地点がマクロＢＳとセルＩＤとを共有するＲＲＨである場合には、マクロＢＳが、中央制御装置と称される。しかしながら、各送信地点が異なるセルＩＤを有するマクロセル又はピコセルである場合には、セルを統合された方式で管理する装置が、中央制御装置と称される。
【００４１】
図７を参照すると、セルラー移動通信システムにおいて、第１、第３、及び第４のＵＥ（ＵＥ１、ＵＥ３、及びＵＥ４）は、３個のセル３００、セル３１０、及びセル３２０（セル１、セル２、及びセル３）の中で最も近いセルからデータを受信し、第２のＵＥ３０２（ＵＥ２）は、ＣｏＭＰによりセル１、セル２、及びセル３からデータを受信する。最も近いセルからデータを受信するＵＥ１、ＵＥ３、及びＵＥ４は、セルから受信されたチャネル状態情報基準信号（ＣＳＩ−ＲＳ）を用いてチャネルを推定し、関連するフィードバック情報を中央制御装置３３０に送信する。しかしながら、ＵＥ２は、ＣｏＭＰ方式を通してセル１、セル２、及びセル３からデータを受信するために、セル１、セル２、及びセル３のすべてから受信されたチャネルを推定する。したがって、中央制御装置３３０は、ＵＥ２のチャネル推定のために、３個のセル３００、３１０、及び３２０に対応する３個のＣＳＩ−ＲＳに対するリソースをＵＥ２に割り当てる。中央制御装置３３０がＣＳＩ−ＲＳをＵＥ２に割り当てる方法については、図８を参照して説明する。
【００４２】
図８は、本発明の実施形態によるＢＳがＵＥに送信するＣＳＩ−ＲＳの位置を示す図である。
図８を参照すると、中央制御装置３３０は、ＣｏＭＰ送信がサポートされるＵＥ２が３個のセル３００、３１０、及び３２０からのチャネルをそれぞれ推定でき、制御情報及びシステム情報を運搬するためのチャネルを推定できるように、それぞれのリソース４０１、４０２、及び４０３を３個のＣＳＩ−ＲＳに割り当て、この割り当てられたリソースを使用してＣＳＩ−ＲＳを送信する。すなわち、参照符号４０１は、セル１のチャネル推定のために使用されるＣＳＩ−ＲＳに割り当てられるリソースを示し、参照符号４０２は、セル２のチャネル推定のために使用されるＣＳＩ−ＲＳに割り当てられるリソースを示し、参照符号４０３は、セル３のチャネル推定のために使用されるＣＳＩ−ＲＳに割り当てられるリソースを示す。このように、ＣｏＭＰ  ＵＥのチャネル推定のために送信される少なくとも１つのＣＳＩ−ＲＳに割り当てられたリソースを含む集合又はＣＳＩ−ＲＳリソースに対応するセルを含むセットを測定集合（measurement set）と称する。
【００４３】
中央制御装置３３０は、干渉測定のための追加のリソースをＵＥ２に割り当てることができる。ＵＥ２が受信できる時間当たりのデータ量は、信号の強度だけでなく干渉のサイズによっても影響を受ける。したがって、中央制御装置３３０は、ＵＥ２が正確に干渉を測定できるように、干渉だけを測定する干渉測定リソース（Interference Measurement Resource：ＩＭＲ）をＵＥ２に追加で割り当てることができる。ＢＳは、ＵＥが測定集合のすべてのＣＳＩ−ＲＳに対する信号成分に共通で適用される干渉量を測定できるように、１つのＩＭＲを１つのＵＥに割り当てることができる。あるいは、ＢＳは、ＵＥが様々な状況で干渉を測定できるように、複数のＩＭＲをＵＥに割り当てることができる。
【００４４】
図８を参照すると、ＵＥ２は、割り当てられた３個のＣＳＩ−ＲＳリソース４０１、４０２、及び４０３を使用して３個のセル３００、３１０、及び３２０から受信された信号を測定し、割り当てられたＩＭＲ４１０を使用して３個のセル３００、３１０、及び３２０から受信された信号に関連した干渉を測定する。このとき、ＢＳは、ＵＥ２がＩＭＲ４１０で端末への干渉をよく反映することができるように、ＩＭＲ４１０を使用して隣接セルの信号送信を制御する。
【００４５】
複数のセルを含む測定集合及び１つ以上のＩＭＲがＵＥに割り当てられる場合において、本発明は、ＢＳに送信されなければならないフィードバック信号の種類及びフィードバック信号を生成し送信する方法を考慮する。
【００４６】
［第１の実施形態］
複数のセルを含む測定集合及び１つ以上のＩＭＲがＵＥに割り当てられる場合に、すべての信号及び干渉の場合に対してＵＥが可能なすべてのフィードバック信号を生成し、ＢＳに送信する第１のフィードバック方法が提供される。例えば、ＵＥに割り当てられた測定集合が｛ＣＳＩ−ＲＳ−１，ＣＳＩ−ＲＳ−２｝であり、ＣＳＩ−ＲＳ−１及びＣＳＩ−ＲＳ−２がＣｅｌｌ−１及びＣｅｌｌ−２のそれぞれにより送信されるＣＳＩ−ＲＳである場合に、ＢＳは、１つのＩＭＲをＵＥに割り当て、割り当てられたＩＭＲは、測定集合のセル以外のセルからの干渉を反映し、ＵＥは、下記の表１に示すような４通りの可能な信号及び干渉の場合に関するフィードバック（ＦＢ）信号を生成する。
【００４７】
【表１】
2015513286.tif 000003
【００４８】
表１において、ＩＭＲ＋Ｃｅｌｌ−２は、ＵＥが、ＩＭＲで測定される干渉とＣｅｌｌ−２から受信されたＣＳＩ−ＲＳ−２で測定される干渉との総計がＦＢ１に対するフィードバック信号であることを意味する。すなわち、ＦＢ１は、Ｃｅｌｌ−１及びＣｅｌｌ−２から信号を受信し、測定集合のセル以外のＩＭＲで反映されたセルが干渉を発生させる場合に対するＣＳＩフィードバックを含む。
【００４９】
ＦＢ２は、Ｃｅｌｌ−１から信号を受信する場合に対するＣＳＩフィードバック信号を含み、Ｃｅｌｌ−２がブランキング状態に存在し、したがって、信号を送信しないために、測定集合のセル以外のセルだけが干渉を発生させる。ここで、ＦＢ１及びＦＢ２のＣＳＩは、個別のＲＩ、ＰＭＩ、及びＣＱＩを含んでよく、又は共通ＲＩ、共通ＰＭＩ、及び個別のＣＱＩを含んでもよい。
【００５０】
同様に、ＦＢ３及びＦＢ４は、すべてＣｅｌｌ−２から信号を受信する場合に対するＣＳＩフィードバック信号を共通で含み、ＦＢ３及びＦＢ４は、それぞれＣｅｌｌ−１のブランキングが発生する場合及びＣｅｌｌ−１のブランキングが発生しない場合について考慮する。ＦＢ３及びＦＢ４は、個別のＲＩ、個別のＰＭＩ、及び個別のＣＱＩを有してもよく、又は共通のＲＩ、共通のＰＭＩ、及び個別のＣＱＩを有してもよい。すなわち、ＦＢ信号は、同一の信号成分に対する共通のＲＩ及び共通のＰＭＩと異なる干渉状況に対する個別のＣＱＩとを有するように設計されることもある。
【００５１】
［第２の実施形態］
本発明の第１の実施形態において、可能なすべての信号及び干渉の場合に対してフィードバック信号を生成し、このフィードバック信号をＢＳに送信しなければならないために、ＵＥは、不必要なフィードバック信号を生成し、ＢＳに送信する場合も発生する。さらに、測定集合に含まれたＣＳＩ−ＲＳが多い場合またはＩＭＲが多い場合には、ＵＥは、大きいフィードバックオーバーヘッドを引き起こすことがある。例えば、本発明の第１の実施形態に従って、ＵＥが３個のＣＳＩ−ＲＳを含む測定集合及び１つのＩＭＲについて動作する場合に、ＵＥは、１２個のフィードバック信号を生成し送信しなければならず、したがって、大きなアップリンクオーバーヘッドを引き起こす。
【００５２】
これに関連して、本発明のまた別の実施形態は、ＵＥが可能なすべての信号及び干渉状況に対するすべてのフィードバック信号を生成しＢＳに送信するものではなく、ＢＳが必要とするフィードバック信号をＵＥに指示し、ＵＥは、ＢＳが必要とするフィードバック信号のみを生成しＢＳに送信する方法を提供する。
【００５３】
最も簡素な方法は、ＵＥが可能なすべてのフィードバック信号のそれぞれをＢＳに送信するか否かを示すビットをＢＳがＵＥに送信するものである。表２は、測定集合サイズが２であり、１つのＩＭＲがＵＥに割り当てられる場合に、ＢＳが必要とするフィードバック信号をＵＥに指示する方法を示す。
【００５４】
【表２】
2015513286.tif 000004
【００５５】
表２の最後の列に示したフィードバックを指示するビットマップをＢＳから受信する場合に、ＵＥは、フィードバック指示ビットマップで‘１’に設定されたビットに対応するＦＢ１及びＦＢ３だけを生成し、ＦＢ１及びＦＢ３をＢＳに送信する。この場合には、ＢＳが割り当てたセルのブランキングを考慮しない。
【００５６】
サイズ３の測定集合及び１つのＩＭＲがＵＥに割り当てられる場合に、１２個のフィードバック信号は、表３に示すようにＵＥに使用可能であり、フィードバック指示ビットマップは、１２個のフィードバック信号を示すように１２個のビットであり得る。
【００５７】
【表３】
2015513286.tif 000005
【００５８】
表３において、ＩＭＲ＋Ｃｅｌｌ−２＋Ｃｅｌｌ−３は、ＵＥがＩＭＲで測定する干渉とＣｅｌｌ−２から受信されたＣＳＩ−ＲＳ−２で測定する干渉とＣｅｌｌ−３から受信されたＣＳＩ−ＲＳ−３で測定する干渉との総計がＦＢ１に対するフィードバック信号であることを意味する。表３の最後の列に示されたフィードバック指示ビットマップを受信する場合に、ＵＥは、フィードバック指示ビットマップで‘１’で示されたフィードバック信号、すなわち、ＦＢ１、ＦＢ５、及びＦＢ９だけを生成し、ＦＢ１、ＦＢ５、及びＦＢ９をＢＳに送信する。この場合に、ＢＳは、割り当てられたセルのブランキングを考慮しない。
【００５９】
表２及び表３では、ＢＳがビットマップを使用してＵＥにより送信されなければならないフィードバック信号を示したが、別の実施形態では、フィードバック信号をＵＥに割り当てる場合に、ＢＳがＦＢ番号をＵＥに送信することにより、ＵＥが生成すべきフィードバック信号を認識するようにすることができる。例えば、サイズが３である測定集合及び１つのＩＭＲがＵＥに割り当てられる場合に、ＢＳは、２つのフィードバック信号をＵＥに割り当てつつ、ＦＢ番号１及び３をＵＥに送信する。その後に、ＵＥは、表３において、ＦＢ１及びＦＢ３だけを生成する。あるいは、ＢＳは、フィードバック信号をＵＥに割り当てつつ、信号成分として使用されるＣＳＩ−ＲＳに関する情報及び干渉として使用されるＣＳＩ−ＲＳに関する情報をＵＥに送信することにより、ＵＥが生成すべきフィードバック信号を認識するようにすることができる。例えば、表３において、ＢＳが２つのフィードバック信号をＵＥに割り当てつつ、信号としてのＣＳＩ−ＲＳ−１及び干渉としてのＩＭＲ及びＣＳＩ−ＲＳ−２を考慮して第１のフィードバック信号が生成されなければならないことを通知し、信号としてのＣＳＩ−ＲＳ−２及び干渉としてのＩＭＲ及びＣＳＩ−ＲＳ−１を考慮して第２のフィードバック信号が生成されなければならないことを通知する場合に、ＵＥは、表３において、ＦＢ２及びＦＢ６を生成し送信しなければならないことを判定できる。
【００６０】
もう１つの方法においては、ＵＥから送信可能なすべてのフィードバック信号を示すビットマップの代わりに、すべてのＵＥが送信しなければならないフィードバック信号が予め設定されており、追加のフィードバック信号を送信するか否かを示すビットマップが使用される。例えば、表３においては、測定集合内のすべてのセルに対するブランキングを反映するＦＢ４、ＦＢ８、及びＦＢ１２が、サイズ３の測定集合を有するすべてのＵＥにより生成され送信されなければならないフィードバック信号として予め設定されており、他のフィードバック信号を追加で生成し送信するか否かを示す９ビットのビットマップが使用される。
【００６１】
他方、割り当てられたセルのブランキングを反映しないＦＢ１、ＦＢ５、及びＦＢ９は、すべてのＵＥにより生成され送信されなければならないフィードバック信号として予め設定され、追加のフィードバック信号の生成及び送信は、９ビットのビットマップにより示される。例えば、表２において、サイズ２の測定集合に対して、ＦＢ１及びＦＢ３は、送信されなければならない基本フィードバック信号として予め設定され、ＦＢ２及びＦＢ４は、生成され送信されなければならない追加のフィードバック信号として設定される。これとは反対の場合において、ＦＢ２及びＦＢ４は、送信されなければならない基本フィードバック信号として予め設定され、ＦＢ１及びＦＢ３は、生成され送信されなければならない追加のフィードバック信号として設定される。ここで、追加で生成され送信されなければならないフィードバック信号は、２ビットのビットマップにより示される。
【００６２】
追加のフィードバック信号指示方法では、フィードバック信号が特定のビットのフィードバック指示情報を使用することにより指示される。例えば、フィードバック指示情報が１ビットである場合には、ＢＳは、フィードバック指示情報が０である時におけるフィードバック信号を決定できる。表２を参照すると、フィードバック指示情報が０である場合には、ＦＢ１、ＦＢ２、ＦＢ３、及びＦＢ４が指示されることができ、フィードバック指示情報が１である場合には、ＦＢ１及びＦＢ３が指示されることができる。
【００６３】
ＵＥは、無線リソース制御（ＲＲＣ）信号により送信されたフィードバック指示情報を確認することにより送信すべきフィードバック信号を判定できる。例えば、フィードバック指示情報が０である場合に、ＵＥは、ＦＢ１、ＦＢ２、ＦＢ３、及びＦＢ４を送信すべきことを判定でき、フィードバック指示ビットが１である場合に、ＵＥは、ＦＢ１及びＦＢ３を送信すべきことを判定できる。その後に、ＵＥは、判定されたフィードバック信号を生成することにより、生成されたフィードバック信号をＢＳに送信する。
【００６４】
一方、フィードバック指示情報は、１ビットより多いこともある。この場合に、対応するビット数に従って生成／配信できるフィードバック信号が決定されることができる。フィードバック信号に関する情報は、あらかじめ決定されているか又はＲＲＣシグナリングによりＢＳからＵＥにシグナリングされることもある。
【００６５】
もう１つの例において、サイズ２の測定集合｛ＣＳＩ−ＲＳ−１，ＣＳＩ−ＲＳ−２｝及び２つのＩＭＲ｛ＩＭＲ−１，ＩＭＲ−２｝がＵＥに割り当てられ、ＣＳＩ−ＲＳ−１及びＣＳＩ−ＲＳ−２がＣｅｌｌ−１及びＣｅｌｌ−２から受信される場合を仮定する。割り当てられた各ＩＭＲは、相互に異なる干渉状況を反映する干渉測定リソースである。ＢＳは、以下の表４に示す方法で、ＵＥがビットマップにより送信する必要があるフィードバック信号を指示することができる。
【００６６】
【表４】
2015513286.tif 000006
【００６７】
表４において、ＩＭＲ−１＋Ｃｅｌｌ−２は、ＵＥがＩＭＲ−１で測定された干渉とＣｅｌｌ−２から受信されたＣＳＩ−ＲＳ−２で測定された干渉との総計がＦＢ１に対するフィードバック信号であることを示す。ＵＥは、表４の最後の列に示されたようなフィードバック指示ビットマップを受信する場合に、ＵＥは、ＦＢ１、ＦＢ３、ＦＢ５、及びＦＢ７だけを生成しＢＳに送信する。複数のＩＭＲが使用される場合にも、ビットマップ方式だけでなく、表２及び表３に示すような様々なフィードバック指示方法が使用されることができる。すなわち、フィードバック信号が割り当てられる場合には、フィードバック番号が指示されることができる。代案的に、信号成分に対するＣＳＩ−ＲＳ及び干渉成分に対するＣＳＩ−ＲＳがフィードバック信号に対して指示されることができる。また、フィードバック信号は、ＲＲＣシグナリングにより指示されることもある。さらに、常に生成され送信されるべきフィードバック信号は、あらかじめ設定されることができ、減少された個数のビットを有するビットマップにより追加のフィードバック信号が指示されることができる。
【００６８】
表５は、サイズが３である測定集合｛ＣＳＩ−ＲＳ−１，ＣＳＩ−ＲＳ−２，ＣＳＩ−ＲＳ−３｝及び２つのＩＭＲ｛ＩＭＲ−１，ＩＭＲ−２｝がＵＥに割り当てられ、ＣＳＩ−ＲＳ−１、ＣＳＩ−ＲＳ−２、及びＣＳＩ−ＲＳ−３が各々Ｃｅｌｌ−１、Ｃｅｌｌ−２、Ｃｅｌｌ−３から受信される場合の生成可能なフィードバックタイプを示す。この場合にも、上述したフィードバック指示方式が同一に適用されることもできる。
【００６９】
【表５】
2015513286.tif 000007
【００７０】
［第３の実施形態］
本発明のまた別の実施形態では、ＢＳが測定集合に加えて干渉測定のために使用されるＣＳＩ−ＲＳをＵＥに指示することにより、対応するＣＳＩ−ＲＳは、干渉の量を計算する用途だけで使用するようにする方法を提供する。
【００７１】
例えば、ＢＳが測定集合｛ＣＳＩ−ＲＳ−１，ＣＳＩ−ＲＳ−２｝、１つのＩＭＲ、及び干渉測定のためのＣＳＩ−ＲＳでＣＳＩ−ＲＳ−３をＵＥに割り当て、ＣＳＩ−ＲＳ−１、ＣＳＩ−ＲＳ−２、及びＣＳＩ−ＲＳ−３は、各々Ｃｅｌｌ−１、Ｃｅｌｌ−２、及びＣｅｌｌ−３から受信される場合を仮定する。表６に示すような信号及び干渉状況が考慮されることができる。
【００７２】
【表６】
2015513286.tif 000008
【００７３】
表６において、ＩＭＲ＋Ｃｅｌｌ−２−Ｃｅｌｌ−３は、ＩＭＲで測定される干渉とＣＳＩ−ＲＳ−２で測定される干渉との総計からＣＳＩ−ＲＳ−３で測定される干渉を減算する結果をＦＢ３に対する干渉として反映しなければならないことを意味する。このような方法は、ＢＳが信号成分として考慮しない追加のＣＳＩ−ＲＳをＵＥに割り当てることにより、特定のセルからの干渉の影響のみを反映したい場合に使用することができる。表６の場合にも、ビットマップ方式のような本発明の第２の実施形態で提示されたフィードバック指示方法と同一の方法が使用されることができる。
【００７４】
［第４の実施形態］
本発明の追加の実施形態では、ＢＳが測定集合の中でブランキングが可能なセルに対するＣＳＩ−ＲＳをＵＥに指示することにより、ＵＥが考慮すべきフィードバック信号を選択できるようにする方法を提供する。
【００７５】
例えば、ＢＳが測定集合｛ＣＳＩ−ＲＳ−１，ＣＳＩ−ＲＳ−２｝及び１つのＩＭＲをＵＥに割り当て、ＣＳＩ−ＲＳ−１及びＣＳＩ−ＲＳ−２が各々Ｃｅｌｌ−１及びＣｅｌｌ−２から受信されることを仮定する。ＵＥが表２に示したような可能な信号及び干渉状況をすべて考慮しなければならないが、ＢＳがブランキングが可能なセルがＣｅｌｌ−１であることをＵＥに指示する場合に、ＵＥは、Ｃｅｌｌ−２がブランキングが可能でないとの事実を認識でき、したがって、表２のＦＢ２が送信される必要がないことを判定できる。したがって、ＵＥは、表２において、ＦＢ２を除外した他のフィードバック信号を生成し送信する。このような方法は、測定集合のサイズが３である場合及びＩＭＲ個数が２である場合にも使用されることができ、ブランキングが可能なセルの情報の代わりにブランキングが不可能なセルの情報をＵＥに送信する場合にも同一に適用されることができる。
【００７６】
図９は、本発明の実施形態によるＵＥの動作を示すフローチャートである。
図９を参照すると、ＵＥは、ステップ９００において、中央制御装置からＣＳＩ測定のための測定集合及び干渉測定のためのＩＭＲに対する割り当て情報を受信する。その後に、ＵＥは、ステップ９０２において、中央制御装置からフィードバック指示ビットマップ情報を受信する。ここで、フィードバック指示ビットマップ情報は、割り当てられた測定集合及びＩＭＲに従って送信可能な複数のフィードバック信号の中で送信されなければならないフィードバック信号を指示するビットマップ形態の情報である。
【００７７】
ステップ９０４において、ＵＥは、フィードバック指示ビットマップ情報に基づいて送信されなければならないフィードバック信号を判定する。ステップ９０６において、ＵＥは、この判定されたフィードバック信号に基づくＣＳＩ−ＲＳ及びＩＭＲなどを考慮してチャネル及び干渉を推定し、ステップ９０８において、チャネル及び干渉推定結果によるフィードバック信号を中央制御装置に送信する。
【００７８】
図１０は、本発明の実施形態による中央制御装置の動作を示すフローチャートである。
図１０を参照すると、ステップ１０００において、中央制御装置は、ＣＳＩ測定のための測定集合及び干渉測定のためのＩＭＲを割り当て、割り当てられた測定集合及びＩＭＲに関する情報をＵＥに送信する。その後に、中央制御装置は、ステップ１００２において、ＵＥに対応するフィードバック指示ビットマップ情報を生成する。フィードバック指示ビットマップ情報は、本発明の第１の実施形態乃至第４の実施形態で説明した方式を使用して生成されることができる。
【００７９】
ステップ１００４において、中央制御装置は、生成されたフィードバック指示ビットマップ情報をＵＥに送信する。中央制御装置は、ステップ１００６において、ＵＥから送信されたフィードバック指示ビットマップ情報に基づくビットマップ信号を受信する。
【００８０】
次いで、図１１及び図１２を参照して、本発明の実施形態によるＵＥ及び中央制御装置の内部構成を説明する。
図１１は、本発明の実施形態によるＵＥの構成を示すブロック図である。
図１１を参照すると、ＵＥは、通信モジュール１１１０と制御部１１２０とを含む。
【００８１】
通信モジュール１１１０は、外部からデータを送信するか又は受信する。通信モジュール１１１０は、制御部１１２０の制御の下にＣｏＭＰのためのチャネル情報を中央制御装置に送信できる。
【００８２】
制御部１１２０は、ＵＥに含まれたすべての構成部の状態及び動作を制御する。制御部１１２０は、ＵＥとセル間で共有された情報に従って協調通信のためのフィードバック信号を選択し、選択されたセルに関するチャネル情報を中央制御装置にフィードバックできる。このような目的のために、制御部１１２０は、チャネル推定部１１３０を含む。
【００８３】
チャネル推定部１１３０は、中央制御装置から受信される測定集合情報（すなわち、フィードバック指示ビットマップ情報）に従って送信されるべきフィードバック信号を判定し、受信されたＣＳＩ−ＲＳ及びＩＭＲを使用して信号及び干渉を推定する。チャネル推定部１１３０は、通信モジュール１１１０を制御することによりＣｏＭＰ関連したチャネル情報を中央制御装置にフィードバックする。
【００８４】
一方、本発明の実施形態では、ＵＥが通信モジュール１１１０及び制御部１１２０を含むものと説明しているが、これに限定されない。すなわち、ＵＥは、ＵＥの機能に従って様々な構成部をさらに含むことができる。例えば、ＵＥは、ＵＥの現在の状態を表示する表示部、ユーザから機能実行命令のような信号を受信する入力部、及びＵＥで生成されたデータを格納する格納部を追加で含むことができる。
【００８５】
図１２は、本発明の実施形態による中央制御装置の構成を示すブロック図である。
中央制御装置は、制御部１２１０及び通信モジュール１２２０を含む。
【００８６】
制御部１２１０は、中央制御装置内のすべての構成の状態及び動作を制御する。制御部１２１０は、ＵＥのチャネル推定のための各セルのＣＳＩ−ＲＳ及びＩＭＲをそれぞれのリソースに割り当てる。このような目的のために、制御部１２１０は、セル別リソース割り当て部１２３０をさらに含む。
【００８７】
セル別リソース割り当て部１２３０は、ＵＥでセル別にチャネル推定のためのＣＳＩ−ＲＳをそれぞれのリソースに割り当て、割り当てられたリソースでＣＳＩ−ＲＳを送信する。セル別に割り当てられるリソースは、各セルのチャネル推定のためのＣＳＩ−ＲＳに対応して割り当てられる。追加で、セル別リソース割り当て部１２３０は、各ＵＥに適切なＩＭＲを割り当てることにより、干渉がＩＭＲによく反映されることができるようにする。
【００８８】
通信モジュール１２２０は、ＵＥ又は管理されるセルとデータを送受信する機能を実行する。ここで、通信モジュール１２２０は、制御部１２１０の制御の下に割り当てられたリソースを通してＣＳＩ−ＲＳ及びＩＭＲをＵＥに送信し、ＵＥからチャネル情報を含むフィードバック信号を受信する。
【００８９】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００９０】
３００  第１セル
３０１  第１端末
３０２  第２端末
３１０  第２セル
３１１  第３端末
３２０  第３セル
３２１  第４端末
３３０  中央制御装置
３３１  第１アンテナ
３３２  第２アンテナ
３３３  第３アンテナ
１１１０  通信モジュール
１１２０  制御部
１１３０  チャネル推定部
１２１０  制御部
１２２０  通信モジュール
１２３０  セル別リソース割り当て部
【図１】
2015513286.tif 000009
【図２】
2015513286.tif 000010
【図３】
2015513286.tif 000011
【図４】
2015513286.tif 000012
【図５】
2015513286.tif 000013
【図６】
2015513286.tif 000014
【図７】
2015513286.tif 000015
【図８】
2015513286.tif 000016
【図９】
2015513286.tif 000017
【図１０】
2015513286.tif 000018
【図１１】
2015513286.tif 000019
【図１２】
2015513286.tif 000020
【手続補正書】
【提出日】平成26年10月14日(2014.10.14)
【手続補正２】
【補正対象書類名】明細書
【補正対象項目名】０００１
【補正方法】変更
【補正の内容】
【０００１】
本発明は、一般的に、複数の基地局（Base Station：ＢＳ）を含むセルラー移動通信システムにおけるフィードバック情報を生成するための方法及び装置に係り、より詳しくは、複数の基地局が協調して端末（User Equipment：ＵＥ）へのダウンリンク送信をサポートする協調マルチポイント（Coordinated multi-point：ＣｏＭＰ）システムにおけるフィードバック信号でチャネル状態情報（Channel Status Information：ＣＳＩ）を効率的に送受信する方法及び装置に関する。
【手続補正３】
【補正対象書類名】特許請求の範囲
【補正対象項目名】全文
【補正方法】変更
【補正の内容】
【特許請求の範囲】
【請求項１】
移動通信システムにおけるチャネル状態情報（ＣＳＩ）を送信する方法であって、
複数のチャネル状態情報フィードバックに関連したフィードバック制御情報を受信するステップと、
前記フィードバック制御情報に基づいて前記複数のチャネル状態情報フィードバックの中の少なくとも１つに対応する少なくとも１つのチャネル状態情報を送信するステップとを有し、
前記複数のチャネル状態情報フィードバックは、チャネル測定のためのチャネル状態情報基準信号（ＣＳＩ−ＲＳ）及び干渉測定のための干渉測定リソース（ＩＭＲ）に基づいて定義され、
チャネル状態情報は、前記チャネル測定及び前記干渉測定に基づいて計算され、
前記フィードバック制御情報は、前記複数のチャネル状態情報フィードバックの中の少なくとも１つを指示するフィードバック指示子を含むことを特徴とするチャネル状態情報送信方法。
【請求項２】
前記フィードバック指示子は、前記複数のチャネル状態情報フィードバックの中の前記少なくとも１つを指示するためのビットを含むビットマップ情報を有することを特徴とする請求項１に記載のチャネル状態情報送信方法。
【請求項３】
前記複数のチャネル状態情報フィードバックの中の前記少なくとも１つを指示するためのビットは、予め定められた値を有することを特徴とする請求項２に記載のチャネル状態情報送信方法。
【請求項４】
前記フィードバック指示子は、前記複数のチャネル状態情報フィードバックの中の前記少なくとも１つに対応するインデックス情報を有することを特徴とする請求項１に記載のチャネル状態情報送信方法。
【請求項５】
前記チャネル状態情報は、前記複数のチャネル状態情報フィードバックの中の前記少なくとも１つに対応する、チャネル品質指示子（ＣＱＩ）、プリコーディングマトリックスインデックス（ＰＭＩ）、及びランキング指示子（ＲＩ）の中の少なくとも１つを有することを特徴とする請求項１に記載のチャネル状態情報送信方法。
【請求項６】
移動通信システムにおけるチャネル状態情報（ＣＳＩ）を受信する方法であって、
複数のチャネル状態情報フィードバックに関連したフィードバック制御情報を送信するステップと、
前記フィードバック制御情報に基づいて前記複数のチャネル状態情報フィードバックの中の少なくとも１つに対応する少なくとも１つのチャネル状態情報を受信するステップとを有し、
前記複数のチャネル状態情報フィードバックは、チャネル測定のためのチャネル状態情報基準信号（ＣＳＩ−ＲＳ）及び干渉測定のための干渉測定リソース（ＩＭＲ）に基づいて定義され、
チャネル状態情報は、前記チャネル測定及び前記干渉測定に基づいて計算され、
前記フィードバック制御情報は、前記複数のチャネル状態情報フィードバックの中の少なくとも１つを指示するフィードバック指示子を有することを特徴とするチャネル状態情報受信方法。
【請求項７】
前記フィードバック指示子は、前記複数のチャネル状態情報フィードバックの中の前記少なくとも１つを指示するためのビットを含むビットマップ情報を有することを特徴とする請求項６に記載のチャネル状態情報受信方法。
【請求項８】
前記複数のチャネル状態情報フィードバックの中の前記少なくとも１つを指示するためのビットは、予め定められた値を有することを特徴とする請求項７に記載のチャネル状態情報受信方法。
【請求項９】
前記フィードバック指示子は、前記複数のチャネル状態情報フィードバックの中の前記少なくとも１つに対応するインデックス情報を有することを特徴とする請求項６に記載のチャネル状態情報受信方法。
【請求項１０】
前記チャネル状態情報は、前記複数のチャネル状態情報フィードバックの中の前記少なくとも１つに対応する、チャネル品質指示子（ＣＱＩ）、プリコーディングマトリックスインデックス（ＰＭＩ）、及びランキング指示子（ＲＩ）の中の少なくとも１つを有することを特徴とする請求項６に記載のチャネル状態情報受信方法。
【請求項１１】
移動通信システムにおける端末（ＵＥ）であって、
複数のチャネル状態情報（ＣＳＩ）フィードバックに関連したフィードバック制御情報を受信し、前記フィードバック制御情報に基づいて前記複数のチャネル状態情報フィードバックの中の少なくとも１つに対応する少なくとも１つのチャネル状態情報を送信する通信モジュールを有し、
前記複数のチャネル状態情報フィードバックは、チャネル測定のためのチャネル状態情報基準信号（ＣＳＩ−ＲＳ）及び干渉測定のための干渉測定リソース（ＩＭＲ）に基づいて定義され、
チャネル状態情報は、前記チャネル測定及び前記干渉測定に基づいて計算され、
前記フィードバック制御情報は、前記複数のチャネル状態情報フィードバックの中の少なくとも１つを指示するフィードバック指示子を有することを特徴とする端末。
【請求項１２】
前記フィードバック指示子は、前記複数のチャネル状態情報フィードバックの中の前記少なくとも１つを指示するためのビットを含むビットマップ情報を有することを特徴とする請求項１１に記載の端末。
【請求項１３】
前記複数のチャネル状態情報フィードバックの中の前記少なくとも１つを指示するためのビットは、予め定められた値を有することを特徴とする請求項１２に記載の端末。
【請求項１４】
前記フィードバック指示子は、前記複数のチャネル状態情報フィードバックの中の前記少なくとも１つに対応するインデックス情報を有することを特徴とする請求項１１に記載の端末。
【請求項１５】
前記チャネル状態情報は、前記複数のチャネル状態情報フィードバックの中の前記少なくとも１つに対応する、チャネル品質指示子（ＣＱＩ）、プリコーディングマトリックスインデックス（ＰＭＩ）、及びランキング指示子（ＲＩ）の中の少なくとも１つを有することを特徴とする請求項１１に記載の端末。
【請求項１６】
移動通信システムにおける中央制御装置であって、
複数のチャネル状態情報（ＣＳＩ）フィードバックに関連したフィードバック制御情報を送信し、前記フィードバック制御情報に基づいて前記複数のチャネル状態情報フィードバックの中の少なくとも１つに対応する少なくとも１つのチャネル状態情報を受信する通信モジュールを有し、
前記複数のチャネル状態情報フィードバックは、チャネル測定のためのチャネル状態情報基準信号（ＣＳＩ−ＲＳ）及び干渉測定のための干渉測定リソース（ＩＭＲ）に基づいて定義され、
チャネル状態情報は、前記チャネル測定及び前記干渉測定に基づいて計算され、
前記フィードバック制御情報は、前記複数のチャネル状態情報フィードバックの中の少なくとも１つを指示するフィードバック指示子を有することを特徴とする中央制御装置。
【請求項１７】
前記フィードバック指示子は、前記複数のチャネル状態情報フィードバックの中の前記少なくとも１つを指示するためのビットを含むビットマップ情報を有することを特徴とする請求項１６に記載の中央制御装置。
【請求項１８】
前記複数のチャネル状態情報フィードバックの中の前記少なくとも１つを指示するためのビットは、予め定められた値を有することを特徴とする請求項１７に記載の中央制御装置。
【請求項１９】
前記フィードバック指示子は、前記複数のチャネル状態情報フィードバックの中の前記少なくとも１つに対応するインデックス情報を有することを特徴とする請求項１６に記載の中央制御装置。
【請求項２０】
前記チャネル状態情報は、前記複数のチャネル状態情報フィードバックの中の前記少なくとも１つに対応する、チャネル品質指示子（ＣＱＩ）、プリコーディングマトリックスインデックス（ＰＭＩ）、及びランキング指示子（ＲＩ）の中の少なくとも１つを有することを特徴とする請求項１６に記載の中央制御装置。
【国際調査報告】
2015513286.tif 000021
2015513286.tif 000022